(57)【要約】      （修正有）【課題】陳列される商品の見栄えを劣化させることなく、しかも、商品の陳列に手数の掛からない商品梱包箱を提供する。【解決手段】商品載置面を上方に向けた際に商品載置面上の商品を露出状態で一の方向に並べて陳列させることができる第一の箱１０と、第一の箱を商品と共に収容可能な第二の箱３０とを備え、第二の箱は、収容のときとは異なる部分で、第一の箱の方向の一端部を商品載置面が上方に向く状態で差し入れるための開口が設けられ、且つ、その差入れ状態で、テーブル上に設置可能に構成され、商品載置面は差入れ状態で、一の方向の他端部に向けて下り勾配を持つように構成されている。【選択図】図２
0003134735.tif 000002
【実用新案登録請求の範囲】
【請求項１】
商品の陳列に使用可能となるように構成された商品梱包箱であって、
商品載置面を上方に向けた際に該商品載置面上の商品を露出状態で一の方向に並べて陳列させることができる第一の箱と、前記第一の箱を商品と共に収容可能な第二の箱とを備え、
前記第二の箱は、収容のときとは異なる部分で、前記第一の箱の前記一の方向の一端部を前記商品載置面が上方に向く状態で差し入れるための開口が設けられ、且つ、その差入れ状態で、テーブル等の上に設置可能に構成され、
前記商品載置面は、前記差入れ状態で、前記一の方向の他端部に向けて下り勾配を持つように構成されている、
ことを特徴とする商品梱包箱。
【請求項２】
商品の陳列に使用可能となるように構成された商品梱包箱であって、
商品載置面を上方に向けた際に該商品載置面上の商品を露出状態で一の方向に並べて陳列させることができる第一の箱と、前記第一の箱を商品と共に収容可能な第二の箱とを備え、
前記第二の箱は、収容のときとは異なる部分で、前記第一の箱の前記一の方向の一端部を前記商品載置面が上方に向く状態で差し入れるための開口が切取り又は折込みによって形成可能となっており、且つ、その差入れ状態で、テーブル等の上に設置可能に構成され、
前記商品載置面は、前記差入れ状態で、前記一の方向の他端部に向けて下り勾配を持つように構成されている、
ことを特徴とする商品梱包箱。
【請求項３】
前記第一の箱の前記一の方向の他端部には、商品の滑落を防止するための商品ストッパが設けられていることを特徴とする請求項１又は２に記載の商品梱包箱。
【請求項４】
前記第二の箱を一方向に並べて複数収容可能な第三の箱を備え、前記第三の箱は、該第三の箱に前記第二の箱を複数収容した状態で、該複数の該第二の箱の前記開口を同時に露出可能な開口が設けられていることを特徴とする請求項１から３いずれか一に記載の商品梱包箱。
【請求項５】
前記第二の箱を一方向に並べて複数収容可能な第三の箱を備え、前記第三の箱は、該第三の箱に前記第二の箱を複数収容した状態で、該複数の該第二の箱の前記開口を同時に露出可能な開口が切取り又は折込みによって形成可能となっていることを特徴とする請求項１から３いずれか一に記載の商品梱包箱。
【請求項６】
前記第一の箱は、底壁と、前記底壁の前記一端部側の辺に折罫を介して連設され該底壁に対して谷折りされて起立する第一の起立部と、前記第一の起立部の自由端側の辺に折罫を介して連設され該第一の起立部に対して谷折りされて前記商品載置面を形成する商品載置部とを備え、前記商品載置面は、前記底壁に対して前記商品載置部を挟んで起立する両側の側壁部と、前記底壁に対して前記他端部側で起立して商品の滑落を防止する商品ストッパを構成する障壁とによって３方を囲まれていることを特徴とする請求項１から５いずれか一に記載の商品梱包箱。
【請求項７】
ダンボールによって形成されていることを特徴とする請求項１から６いずれか一に記載の商品梱包箱。
【考案の詳細な説明】
【技術分野】
【０００１】
本考案は、商品を梱包するとともに、陳列台としても使用することができる商品梱包箱に関する。
【背景技術】
【０００２】
従来、商品を運搬する際には、商品を梱包し、その商品を陳列することができる商品梱包箱が知られている（例えば、特許文献１）。この商品梱包箱は、前面部と上面部を前方に展開させることによって、商品を露出させて陳列するように構成されている。
【特許文献１】特開平１０−９５４２０号公報（図２及び図７参照）
【考案の開示】
【考案が解決しようとする課題】
【０００３】
この特許文献１の商品梱包箱では、前面部と上面部とを展開することにより、商品は商品梱包箱に入ったままの状態で陳列される。
しかしながら、この商品梱包箱にあっては、商品は水平な床面上に並べられることから、購入者が商品を１つずつ購入する場合を考えると、購入毎に商品の隙間ができてしまうため、見栄えが悪くなってしまうという問題がある。これを解消するためには、その都度、商品の補充乃至は並び替えが必要となり、その場合には、手数が掛かるという問題がある。
【０００４】
本考案は、かかる問題点を解決するためになされたもので、陳列される商品の見栄えを劣化させることなく、しかも、商品の陳列に手数の掛からない商品梱包箱を提供することを目的とする。
【課題を解決するための手段】
【０００５】
第１の手段に係る商品梱包箱は、
商品の陳列に使用可能となるように構成された商品梱包箱であって、
商品載置面を上方に向けた際に該商品載置面上の商品を露出状態で一の方向に並べて陳列させることができる第一の箱と、前記第一の箱を商品と共に収容可能な第二の箱とを備え、
前記第二の箱は、収容のときとは異なる部分で、前記第一の箱の前記一の方向の一端部を前記商品載置面が上方に向く状態で差し入れるための開口が設けられ、且つ、その差入れ状態で、テーブル等の上に設置可能に構成され、
前記商品載置面は、前記差入れ状態で、前記一の方向の他端部に向けて下り勾配を持つように構成されている、
ことを特徴とする商品梱包箱である。
ここで、「テーブル等」とは例えばコンビニエンスストアにおけるレジテーブルや商品陳列棚が代表的なものであるが、それに限定されず、例えば商品の陳列を行う場合に使用される卓や台等であってもよい。
また、第２の手段に係る商品梱包箱は、
商品の陳列に使用可能となるように構成された商品梱包箱であって、
商品載置面を上方に向けた際に該商品載置面上の商品を露出状態で一の方向に並べて陳列させることができる第一の箱と、前記第一の箱を商品と共に収容可能な第二の箱とを備え、
前記第二の箱は、収容のときとは異なる部分で、前記第一の箱の前記一の方向の一端部を前記商品載置面が上方に向く状態で差し入れるための開口が切取り又は折込みによって形成可能となっており、且つ、その差入れ状態で、テーブル等の上に設置可能に構成され、
前記商品載置面は、前記差入れ状態で、前記一の方向の他端部に向けて下り勾配を持つように構成されている、
ことを特徴とする商品梱包箱である。
【０００６】
第３の手段に係る商品梱包箱は、第１又は第２の手段において、前記第一の箱の前記一の方向の他端部に、商品の滑落を防止するための商品ストッパが設けられていることを特徴とするものである。
【０００７】
第４の手段に係る商品梱包箱は、第１から３の手段のいずれか一において、前記第二の箱を一方向に並べて複数収容可能な第三の箱を備え、前記第三の箱は、該第三の箱に前記第二の箱を複数収容した状態で、該複数の該第二の箱の前記開口を同時に露出可能な開口が設けられていることを特徴とするである。
また、第５の手段に係る商品梱包箱は、第１から３の手段のいずれか一において、前記第二の箱を一方向に並べて複数収容可能な第三の箱を備え、前記第三の箱は、該第三の箱に前記第二の箱を複数収容した状態で、該複数の該第二の箱の前記開口を同時に露出可能な開口が切取り又は折込みによって形成可能となっていることを特徴とするものである。
【０００８】
第６の手段に係る商品梱包箱は、第１から５の手段のいずれか一において、前記第一の箱は、底壁と、前記底壁の前記一端部側の辺に折罫を介して連設され該底壁に対して谷折りされて起立する第一の起立部と、前記第一の起立部の自由端側の辺に折罫を介して連設され該第一の起立部に対して谷折りされて前記商品載置面を形成する商品載置部とを備え、前記商品載置面は、前記底壁に対して前記商品載置部を挟んで起立する両側の側壁部と、前記底壁に対して前記他端部側で起立して商品の滑落を防止する商品ストッパを構成する障壁とによって３方を囲まれていることを特徴とするものである。
【０００９】
第７の手段に係る商品梱包箱は、第１から６の手段のいずれか一において、ダンボールによって形成されていることを特徴とするものである。
【考案の効果】
【００１０】
第１から７の手段に係る商品梱包箱によれば、輸送に使用できると共に、商品梱包箱がそれ自体で商品陳列台となるので、便利である一方、第一の箱に陳列された商品の取り出しに伴って該商品よりも後方に位置する商品が転動又は滑動によって順次に前方に送られるように商品載置台が傾斜しているので、商品は常に手前側へ押し出される状態で整列されることになる。
また、第４及び５の手段に係る商品梱包箱によれば、複数組の第一の箱で同時に商品の陳列を行えることになる。
【００１１】
第６の手段に係る商品梱包箱によれば、底壁等に連設される部分を適宜折ることによって各部を形成することができるので、簡単に、第一の箱を作ることができる。
また、第７の手段に係る商品梱包箱によれば、クッション性に優れるダンボールによって形成されているので、商品の損傷を防ぐことができる。
【考案を実施するための最良の形態】
【００１２】
［第１実施形態］
図１は、本考案に係る商品梱包箱における梱包態様を示した斜視図、図２は、本考案に係る商品梱包箱における陳列態様を示した斜視図、図３から図５は、本考案に係る商品梱包箱を構成する第一の箱の構成を示す斜視図、図６から図８は、本考案に係る商品梱包箱を構成する第二の箱の構成を示す斜視図である。
なお、第１実施形態及び第２実施形態で表現する上下，前後，左右は、商品梱包箱の陳列状態における方向で示している。
【００１３】
図１及び図２に示すように、商品梱包箱１は、第一の箱１０と、第一の箱１０及び商品Ａを収容する第二の箱３０とを備える。このうち第一の箱１０は、上面が商品を載置して陳列するための傾斜面（商品載置面）１１となっている。一方、第二の箱３０は、前面下部に、商品Ａの陳列に際して第一の箱１０の後部を差し込んで残余の部分を前方に露出させるための開口３１を有する。この開口３１は、当初から形成されていても良いし、切取り又は折込みによって形成されるものであっても良い。
【００１４】
第一の箱１０は１枚のダンボールによって形成されている。この第一の箱１０は、図３に示すように、矩形の底壁１２を備える。
この底壁１２の左右の辺には折罫を介して側壁１３，１３が連設されている。各側壁１３は、第一の箱１０の組立の際に図４に示すように谷折りされて、底壁１２に対して起立した状態とされる。
各側壁１２の幅寸法（第一の箱１０の組立状態での高さ寸法）は、特に限定はされないが、第一の箱１０の後方に行くに従って漸次大きくなっている。そして、各側壁１２の前辺には折罫を介して係止片１４ａが連設されている。各係止片１４ａは、第一の箱１０の組立の際に谷折りされて、底壁１２に対して起立した状態とされる。一方、各側壁１２の後辺には折罫を介して係止片１５ａが連設されている。各係止片１５ａは、第一の箱１０の組立の際に谷折りされて、底壁１２に対して起立した状態とされる。
ここで、２つの係止片１４ａ，１４ａのうちの一方には、第一の箱１０の組立の際に下縁となる部分に達するスリット２０ａが形成され、他方には、第一の箱１０の組立の際に上縁となる部分に達するスリット２０ａが形成されている。そして、第一の箱１０の組立の際にはスリット２０ａ，２０ａを互いに合致させつつ、各係止片１４ａが底壁１２に対して起立させられる。これによって、図４に示すように、係止片１４ａ，１４ａ同士が係合される。
また、２つの係止片１５ａ，１５ａのうちの一方には、第一の箱１０の組立の際に下縁となる部分に達するスリット２１ａが形成され、他方には、第一の箱１０の組立の際に上縁となる部分に達するスリット２１ａが形成されている。そして、第一の箱１０の組立の際にはスリット２１ａ，２１ａを互いに合致させつつ、各係止片１５ａが底壁１２に対して起立させられる。これによって、図４に示すように、係止片１５ａ，１５ａ同士が係合される。
【００１５】
また、底壁１２の前辺には折罫を介して前側カバー１６が連接されている。この前側カバー１６は、係止片１４ａ，１４ａの前面を覆うための第一のカバー部分と、第一のカバー部分の自由端側の辺に折罫を介して連設され係止片１４ａ，１４ａの後面を覆うための第二のカバー部分とを備える。前側カバー１６は、第一の箱１０の組立の際に、底壁１２及び係止片１４ａの境界に位置する折罫と、第一のカバー部分及び第二のカバー部分の境界に位置する折罫とで、それぞれ谷折りされることで、底壁１２に対して起立状態にある係止片１４ａ，１４ａを挟んだ状態で前後から被覆する。この前側カバー１６は第一の箱１０の前壁を構成する。この前壁１０は傾斜面１１から上方に突出して障壁を構成して商品ストッパとして機能する。
前側カバー１６の自由端には幅方向中央に突起１９が付設されている。一方、底壁１２には、該突起１９を挿入可能な長孔１８ａが形成されている。そして、前側カバー１６は、係止片１４ａ，１４ａを挟み込んだ状態で前後から被覆した状態で、突起１９を長孔１８ａに挿入することで前側カバー１６は底壁１２に対して固定される。
一方、底壁１２の後辺には折罫を介して後側カバー１７が連設されている。この後側カバー１７は、係止片１５ａ，１５ａの後面を覆うための第一のカバー部分と、第一のカバー部分の自由端側の辺に折罫を介して連設され係止片１５ａ，１５ａの前面、及び底壁１２の上面を覆うための第二のカバー部分とを備える。後側カバー１７は、第一の箱１０の組立の際に、底壁１２及び係止片１５ａの境界に位置する折罫と、第一のカバー部分及び第二のカバー部分の境界に位置する折罫とで、それぞれ谷折りされることで、図５に示すように、底壁１２に対して起立状態にある係止片１５ａ，１５ａを被覆すると共に、底壁１２の上面を被覆する。
後側カバー１７の自由端には幅方向中央に切欠き１８ｂが形成されている。そして、後側カバー１７は、係止片１５ａ，１５ａと底壁１２の上面を被覆した状態で、長孔１８ａに挿入された突起１９に切欠き１８ｂを合致させるようにして、後側カバー１７の自由端部を前側カバー１６の自由端の下側に潜り込ませることによって、底壁１２に対して固定される。このとき、後側カバー１７のうち底壁１２の上面を覆う部分は前方へ向けて下り勾配の傾斜面１１を構成する。
【００１６】
第二の箱３０は１枚のダンボールによって形成されている。この第二の箱３０は、図６及び図７に示すように、前壁３２、側壁３３，３３、後壁３４、上壁３６及び底面カバー３７を備える。そして、この第二の箱３０は陳列時にはコンビニエンスストアのレジテーブル等の上に設置されるようになっている。
【００１７】
前壁３２は下部が欠損し、図８に示すように、第二の箱３０が組み立てられた際にそこに開口３１が形成される。この前壁３２の上辺には折罫を介して上壁３６が連設されている。上壁３６は、第二の箱３０の組立に際して谷折りされる。また、前壁３２の左右の辺には折罫を介して側壁３３，３３が連設されている。側壁３３，３３は、第二の箱３０の組立に際して谷折りされる。
各側壁３３の上辺には折罫を介してフラップ３３ａが連接されている。各フラップ３３ａは、第二の箱３０の組立に際して谷折りされる。また、各側壁３３の下辺には折罫を介して係止片３５ａが連接されている。各係止片３５ａは、第二の箱３０の組立に際して谷折りされる。係止片３５ａ，３５ａの一方には、鳩尾状の突片３８ａが連設され、他方には、鳩尾状の切欠き１８ｂが形成されている。そして、係止片３５ａ，３５ａは、突片３８ａと切欠き１８ｂとを係合させることによって互いに結合される。
また、側壁３３，３３の一方には折罫を介して後壁３４が連設されている。後壁３４は、第二の箱３０の組立に際して谷折りされる。後壁３４の自由端には折罫を介して糊代３４ａが連接されている。糊代３４ａは、第二の箱３０の組立に際して谷折りされ、側壁３３，３３の他方の内面に糊付けされる。また、後壁３４の下辺には折罫を介して底面カバーが連設されている。底面カバーは、第二の箱３０の組立に際して谷折りされる。この底面カバーの自由端側の辺には折罫を介してフラップ３７ａが連設されている。フラップ３７ａは、第二の箱３０の組立に際して谷折りされて係止片３５ａ，３５ａの上面に当接される。
【００１８】
このように構成された第二の箱３０に収容される商品Ａは、特に制限はされないが、円筒状のカプセル内に玩具等の内容物を入れたもので、図９に示すように、商品陳列台１０と共に第二の箱３０に収容される。その際、第二の箱３０の開口３１は、第一の箱１０の底壁１２によって塞がれる。
【００１９】
そして、商品Ａを陳列する場合には、図１０に示すように、第一の箱１０の後部を第二の箱３０内に収容した状態で、前部を開口３１から前方に露出させ、後側カバー１７によって形成される傾斜面１１の上に商品Ａを並べて陳列する。この状態における商品Ａは、側壁１３，１３によって案内され、傾斜面１１によって常に前方に送り出され、前壁１４によって落下が防止される。したがって、最前に位置する商品Ａが取り出されると、次ぎの商品Ａが送り出される。
【００２０】
［第２実施形態］
第２実施形態の商品梱包箱１００は、第１実施形態の第一の箱１０及び第二の箱３０の組を２組備えると共に、図１１に示すような第三の箱４０を備える。第一の箱１０及び第二の箱３０の構造は第１実施形態と同じであるので、以下、第三の箱４０の構造を中心に説明する。
【００２１】
第三の箱４０は１枚のダンボールによって形成されている。この第三の箱４０は、図１３に示すように、幅方向に２つ並べて第二の箱１０を収容し得る大きさ及び形状を有している。この第三の箱４０は前面下部に開口４１を備え、開口４１から２つの第二の箱１０の開口３１，３１を同時に露出可能となっている。したがって、この第三の箱４０によれば、２組の第一の箱１０及び第二の箱３０で同時に商品の陳列を行えることになる。また、この第三の箱４０によれば、２組の第一の箱１０及び第二の箱３０を梱包することができる。なお、開口４１は、当初から形成されていても良いし、切取り又は折込みによって形成されるものであっても良い。
【００２２】
この第三の箱４０は、図１１及び図１２に示すように、前壁４２、側壁４３，４３、後壁４４及び上壁４６を備える。
前壁４２は下部が欠損し、第三の箱４０が組み立てられた際にそこに開口４１が形成される。この前壁４２の上辺には折罫を介して上壁４６が連設されている。上壁４６は、第三の箱４０の組立に際して谷折りされる。また、前壁４２の左右の辺には折罫を介して側壁４３，４３が連設されている。側壁４３，４３は、第三の箱４０の組立に際して谷折りされる。
各側壁４３の上辺には折罫を介してフラップ４３ａが連接されている。各フラップ４３ａは、第三の箱４０の組立に際して谷折りされる。
また、側壁４３，４３の一方には折罫を介して後壁４４が連設されている。後壁４４は、第三の箱４０の組立に際して谷折りされる。後壁４４の自由端には折罫を介して糊代４４ａが連接されている。糊代４４ａは、第三の箱４０の組立に際して谷折りされ、側壁４３，４３の他方の内面に糊付けされる。
【００２３】
このように構成された第三の箱４０内には、図１３に示すように、２つの第二の箱３０，３０が収容される。その際、第三の箱４０の開口４１は、第二の箱３０によって塞がれる。そして、商品Ａを陳列する場合には、図１４に示すように、２つの第二の箱３０，３０を第三の箱４０内に収容した状態で、第一の箱１０，１０の前部を第二の箱の開口３１及び第三の箱４０の開口４１から前方に露出させ、商品Ａを第一の箱１０，１０の傾斜面１１の上に並べて陳列する。
【００２４】
なお、上記実施形態のケース１，１００では、第二の箱３０及び第三の箱４０の前壁３２，４２、側壁３３，４３、上壁３６，４６等に商品広告に関する文字，絵等が表示される。
【００２５】
以上、本考案の実施形態について説明したが、本考案は、かかる実施形態に限定されるものではなく、その要旨を逸脱しない範囲で種々変形可能であることはいうまでもない。  例えば、上記実施形態では、第二の箱３０に１つの第一の箱１０を収容するようにしたが、第二の箱３０に複数の第一の箱１０を収容できるようにし、第二の箱３０の開口３１から複数の第一の箱１０の前部を露出できる構成としても良い。
また、第三の箱４０には、底壁を設けなかったが、第二の箱３０と同様な構成とし、底壁を構成する係止片や底面カバーを設けても良い。
【図面の簡単な説明】
【００２６】
【図１】第１実施形態に係る商品梱包箱における商品梱包状態を示した斜視図である。
【図２】商品梱包箱における商品陳列状態を示した斜視図である。
【図３】商品梱包箱における第一の箱の分解図である。
【図４】商品梱包箱における第一の箱の組立て手順を示した斜視図である。
【図５】商品梱包箱における第一の箱を示した斜視図である。
【図６】商品梱包箱における第二の箱の分解斜視図である。
【図７】商品梱包箱における第二の箱の組立て手順を示した斜視図である。
【図８】商品梱包箱における第二の箱の斜視図である。
【図９】図１におけるＩＸ−ＩＸ線断面図である。
【図１０】図２におけるＸ−Ｘ線断面図である。
【図１１】第２実施形態に係る商品梱包箱おける第三の箱の斜視図である。
【図１２】商品梱包箱における第三の箱の組立て手順を示した斜視図である。
【図１３】商品梱包箱における第三の箱に第二の箱を収容した状態を示した斜視図である。
【図１４】商品梱包箱における第三の箱を使用した商品の陳列状態を示した斜視図である。
【符号の説明】
【００２７】
１   商品梱包箱
１０    第一の箱
１１    傾斜面
１４    前壁
１６    前壁カバー（商品ストッパ）
３０    第二の箱
３１    開口
３２    前壁
４０    第三の箱
４１    開口
４２    前壁                                                                
【図１】
0003134735.tif 000003
【図２】
0003134735.tif 000004
【図３】
0003134735.tif 000005
【図４】
0003134735.tif 000006
【図５】
0003134735.tif 000007
【図６】
0003134735.tif 000008
【図７】
0003134735.tif 000009
【図８】
0003134735.tif 000010
【図９】
0003134735.tif 000011
【図１０】
0003134735.tif 000012
【図１１】
0003134735.tif 000013
【図１２】
0003134735.tif 000014
【図１３】
0003134735.tif 000015
【図１４】
0003134735.tif 000016